(57)【要約】【課題】登録者以外の第三者による不正な操作を抑制することができる生体情報認証装置を提供する。【解決手段】生体情報認証装置としてのスタートスイッチ装置１は、取得した操作者の生体情報２３と予め登録された登録者の登録生体情報５０に基づいて第１の生体認証が成立した後、新たに登録生体情報５０を登録する操作が行われた場合、再度取得した生体情報２３と予め登録された登録者の登録生体情報５０に基づいた第２の生体認証の成立によって登録を許可する制御部５を備えて概略構成されている。【選択図】図１
2020024536.tif 000002
【特許請求の範囲】
【請求項１】
取得した操作者の生体情報と予め登録された登録者の登録生体情報に基づいて第１の生体認証が成立した後、新たに登録生体情報を登録する操作が行われた場合、再度取得した生体情報と前記予め登録された登録者の登録生体情報に基づいた第２の生体認証の成立によって登録を許可する制御部を備えた生体情報認証装置。
【請求項２】
前記制御部は、前記第１の生体認証が成立した後、前記予め登録された登録者の登録生体情報を消去する操作がなされた場合、前記第２の生体認証の成立によって消去を許可する、
請求項１に記載の生体情報認証装置。
【請求項３】
前記制御部は、前記第２の生体認証が不成立だった場合、登録又は消去を許可しない、
請求項１又は２に記載の生体情報認証装置。
【請求項４】
前記制御部は、前記第１の生体認証と前記第２の生体認証において同じ登録者の登録生体情報を用いて生体認証を行う、
請求項１乃至３のいずれか１項に記載の生体情報認証装置。
【請求項５】
前記制御部は、前記第１の生体認証より前記第２の生体認証の認証精度を上げる、
請求項１乃至３のいずれか１項に記載の生体情報認証装置。
【請求項６】
前記制御部は、前記第１の生体認証が成立したことによる効力が継続している期間における前記第２の生体認証の回数の制限を行う、
請求項１乃至４のいずれか１項に記載の生体情報認証装置。
【発明の詳細な説明】
【技術分野】
【０００１】
本発明は、生体情報認証装置に関する。
【背景技術】
【０００２】
従来の技術として、駆動源の始動や停止を指令する始動スイッチと、駆動源を始動させる始動手段と、指紋を読み取る指紋センサと、指紋センサ、始動スイッチからの入力に基づいて始動手段の作動を制御する始動処理を実行する制御手段と、を備えた始動制御装置が知られている（例えば、特許文献１参照。）。
【０００３】
この始動制御装置の制御手段は、始動スイッチにより始動が指令されたときに、始動手段による始動を実行する前に、指紋センサが読み取った指紋と予め登録された登録指紋とによる指紋照合を行い、一致判定がなされると、利用者が正当な利用者であると認証して始動手段による始動を許可する。
【先行技術文献】
【特許文献】
【０００４】
【特許文献１】特開２００８−１７４０９５号公報
【発明の概要】
【発明が解決しようとする課題】
【０００５】
このような従来の始動制御装置の中には、例えば、指紋照合の一致判定がなされた後であれば再度の指紋照合なしに、登録指紋の登録や消去が可能となるものがあり、登録者以外の第三者によって登録指紋の登録や消去が行われる可能性がある。
【０００６】
従って本発明の目的は、登録者以外の第三者による不正な操作を抑制することができる生体情報認証装置を提供することにある。
【課題を解決するための手段】
【０００７】
本発明の一態様は、取得した操作者の生体情報と予め登録された登録者の登録生体情報に基づいて第１の生体認証が成立した後、新たに登録生体情報を登録する操作が行われた場合、再度取得した生体情報と予め登録された登録者の登録生体情報に基づいた第２の生体認証の成立によって登録を許可する制御部を備えた生体情報認証装置を提供する。
【発明の効果】
【０００８】
本発明によれば、登録者以外の第三者による不正な操作を抑制することができる。
【図面の簡単な説明】
【０００９】
【図１】図１（ａ）は、実施の形態に係るスタートスイッチ装置の一例が配置された車両内の概略図であり、図１（ｂ）は、スタートスイッチ装置の一例を示す正面図である。
【図２】図２（ａ）は、実施の形態に係るスタートスイッチ装置のブロック図の一例であり、図２（ｂ）は、車両のブロック図の一例であり、図２（ｃ）は、生体情報センサが読み取った読取画像の一例を示す概略図である。
【図３】図３（ａ）は、実施の形態に係るスタートスイッチ装置が登録する登録生体情報の一例を示す概略図であり、図３（ｂ）は、登録モード又は消去モードの際に再度生体情報の読み取りを促す画像の一例を示す概略図であり、図３（ｃ）は、登録モードの際に表示される表示画像の一例を示す概略図であり、図３（ｄ）は、消去モードの際に表示される表示画像の一例を示す概略図である。
【図４】図４は、実施の形態に係るスタートスイッチ装置の動作の一例を示す概略図である。
【発明を実施するための形態】
【００１０】
（実施の形態の要約）
実施の形態に係る生体情報認証装置は、取得した操作者の生体情報と予め登録された登録者の登録生体情報に基づいて第１の生体認証が成立した後、新たに登録生体情報を登録する操作が行われた場合、再度取得した生体情報と予め登録された登録者の登録生体情報に基づいた第２の生体認証の成立によって登録を許可する制御部を備えて概略構成されている。
【００１１】
この生体情報認証装置は、新たに登録生体情報を登録する場合、一回目の生体認証が成立しても二回目の生体認証が成立しないと登録が許可されないので、この構成を採用しない場合と比べて、登録者以外の第三者であると二回目の生体認証が不成立となることから、第三者による不正な操作を抑制することができる。
【００１２】
[実施の形態]
（スタートスイッチ装置１の概要）
図１（ａ）は、実施の形態に係るスタートスイッチ装置の一例が配置された車両内の概略図であり、図１（ｂ）は、スタートスイッチ装置の一例を示す正面図である。図２（ａ）は、実施の形態に係るスタートスイッチ装置のブロック図の一例であり、図２（ｂ）は、車両のブロック図の一例であり、図２（ｃ）は、生体情報センサが読み取った読取画像の一例を示す概略図である。図３（ａ）は、実施の形態に係るスタートスイッチ装置が登録する登録生体情報の一例を示す概略図であり、図３（ｂ）は、登録モード又は消去モードの際に再度生体情報の読み取りを促す画像の一例を示す概略図であり、図３（ｃ）は、登録モードの際に表示される表示画像の一例を示す概略図であり、図３（ｄ）は、消去モードの際に表示される表示画像の一例を示す概略図である。
【００１３】
なお以下に記載する実施の形態に係る各図において、図形間の比率は、実際の比率とは異なる場合がある。また図２（ａ）及び図２（ｂ）では、主な信号や情報などの流れを矢印で示している。
【００１４】
生体情報認証装置としてのスタートスイッチ装置１は、例えば、図１（ａ）に示すように、運転席に着座する操作者の前方であってステアリング８４の周囲のパネル８０、運転席と助手席の間に位置するフロアコンソール８１、及びステアリング８４などに配置される。このスタートスイッチ装置１は、プッシュ操作（オン操作）により、車両８の駆動装置の始動、又は始動準備を車両８の車両制御部８８に指示し、その後になされたプッシュ操作（オフ操作）により、駆動装置の停止を指示することができる。
【００１５】
なお車両８の駆動装置の始動や車両８の電源遷移は、例えば、スタートスイッチ装置１から出力された指示信号Ｓ３と、シフト装置などの操作条件と、に基づいて車両制御部８８が判断するものとする。
【００１６】
具体的には、駆動装置が内燃機関（エンジン）である場合、シフト装置やブレーキ装置の操作条件が満足された状態でなされたプッシュ操作によりエンジンが始動する。また駆動装置がモータである場合、上記の操作条件が満足された状態でなされたプッシュ操作によりモータに電流を供給する始動準備が行われる。さらに駆動装置がエンジンとモータのハイブリッドである場合、上記の操作条件が満足された状態でなされたプッシュ操作により、始動時に優先される駆動装置に対応して始動又は始動準備が行われる。このオン操作の後に行われたオフ操作によって、駆動装置の停止が指示される。
【００１７】
またスタートスイッチ装置１は、一例として、操作条件としてブレーキ装置を作動させずにプッシュ操作が行われた場合、ＯＦＦ（電源をオフ）、ＡＣＣ（一部の電子機器が使用可能）、ＯＮ（全ての電子機器が使用可能）などの電源遷移を実行させるための指示信号Ｓ３を出力する。車両制御部８８は、例えば、当該指示信号Ｓ３と、上記の操作条件と、に基づいて電源を制御する。なお生体情報認証装置は、スタートスイッチ装置１に限定されず、例えば、ドアのロック及びアンロック時の認証、電子機器のログイン時の認証などに用いられても良い。
【００１８】
スタートスイッチ装置１は、例えば、図２（ａ）に示すように、取得した操作者の生体情報２３と予め登録された登録者の登録生体情報５０に基づいて第１の生体認証が成立した後、新たに登録生体情報５０を登録する操作が行われた場合、再度取得した生体情報２３と予め登録された登録者の登録生体情報５０に基づいた第２の生体認証の成立によって登録を許可する制御部５を備えて概略構成されている。
【００１９】
このスタートスイッチ装置１は、例えば、図１（ｂ）に示すように、円筒形の本体１０と、操作ボタン１２と、を備えている。この操作ボタン１２は、本体１０の開口１０２に挿入されている。そしてスタートスイッチ装置１は、例えば、図２（ａ）に示すように、生体情報センサ２と、登録消去スイッチ３と、スイッチ部４と、を備えている。
【００２０】
制御部５は、第１の生体認証が成立した後、予め登録された登録者の登録生体情報５０を消去する操作がなされた場合、第２の生体認証の成立によって消去を許可するように構成されている。
【００２１】
また制御部５は、第２の生体認証が不成立だった場合、登録又は消去を許可しないように構成されている。
【００２２】
この登録生体情報５０の登録及び消去は、第１の生体認証の効力が継続している期間に行われる。第１の生体認証の効力が継続している期間とは、例えば、第１の生体認証が成立してから車両８の電源が遮断されるまでの期間である。
【００２３】
車両８は、一例として、図２（ｂ）に示すように、タッチパッド８５と、メインモニタ８６と、サブモニタ８７と、車両制御部８８と、を備えて概略構成されている。
【００２４】
タッチパッド８５は、例えば、図１（ａ）に示すように、フロアコンソール８１に配置されている。このタッチパッド８５は、例えば、静電容量方式のタッチパッドであり、なされた操作に基づいて操作情報Ｓ５を車両制御部８８に出力する。
【００２５】
メインモニタ８６は、一例として、図１（ａ）に示すように、センターコンソール８２に配置されているがこれに限定されない。このメインモニタ８６は、例えば、液晶モニタであり、車両制御部８８から出力される表示信号Ｓ６に基づいて表示を行う。
【００２６】
サブモニタ８７は、一例として、図１（ａ）に示すように、運転席から見て正面のインストルメントパネル８３に配置されている。このサブモニタ８７は、例えば、液晶モニタであり、車両制御部８８から出力される表示信号Ｓ７に基づいて表示を行う。このサブモニタ８７は、例えば、インストルメントパネル８３に限定されず、ヘッドアップディスプレイなどのように他の場所に配置されても良い。
【００２７】
なお以下では、登録生体情報５０の登録及び消去に関するメッセージ画像は、メインモニタ８６に表示されるものとするがこれに限定されず、サブモニタ８７に表示されても良いし、メインモニタ８６とサブモニタ８７に表示されても良い。
【００２８】
車両制御部８８は、例えば、ＣＰＵ（Central Processing Unit）、半導体メモリであるＲＡＭ（Random Access Memory）及びＲＯＭ（Read Only Memory）などから構成されるマイクロコンピュータである。この車両制御部８８は、例えば、ＣＡＮ（Controller Area Network）やＬＩＮ（Local Interconnect Network）といった車両ＬＡＮ（Local Area Network）を介してスタートスイッチ装置１と電磁気的に接続されている。
【００２９】
（生体情報センサ２の構成）
生体情報センサ２は、例えば、図１（ｂ）に示すように、操作ボタン１２の操作面１２０に読取面２０が露出するように配置されている。
【００３０】
この生体情報センサ２は、例えば、図１（ｂ）及び図２（ｃ）に示すように、生体情報２３として操作指９の指紋を読み取るように構成されている。なお生体情報２３は、操作指９の指紋に限定されず、操作指９の静脈、手の平の静脈、目の虹彩、顔などの身体の一部の形状などでも良い。また生体情報センサ２は、例えば、虹彩などのように操作対象から離れていても生体情報２３を読み取ることが可能であれば、スタートスイッチ装置１に搭載されていなくても良い。
【００３１】
この生体情報センサ２は、例えば、指紋を読み取る場合、光学式、静電容量式、電界強度測定式、感圧式及び感熱式などの指紋を読み取るように構成されたセンサが用いられる。
【００３２】
また生体情報センサ２は、例えば、操作指９や手の平の静脈を読み取る場合、照射した近赤外線の反射に基づいて静脈を読み出すように構成されたセンサが用いられる。
【００３３】
また生体情報センサ２は、例えば、指紋と静脈の両方を読み取る場合、可視光を照射して撮像した画像を画像処理して指紋と静脈を抽出するように構成されたセンサが用いられる。
【００３４】
さらに生体情報センサ２は、例えば、虹彩を読み取る場合、赤外線を照射して撮像した画像を画像処理して虹彩を読み取るように構成されたセンサが用いられる。
【００３５】
またさらに生体情報センサ２は、例えば、顔などの身体の一部の形状を読み取る場合、撮像された対象に複数の計測点を設け、この計測点の深度に基づいて対象の凹凸形状を読み取るように構成されたセンサが用いられる。
【００３６】
本実施の形態の生体情報センサ２は、一例として、指紋を読み取る静電容量式のセンサである。この生体情報センサ２は、操作者が操作ボタン１２にプッシュ操作を行うと、読取面２０に接触した操作指９から生体情報２３を読み取るように構成されている。なお読取面２０は、操作面１２０に露出せず、操作面１２０の下方に配置されても良い。
【００３７】
生体情報センサ２は、例えば、読取面２０の下方に、格子状に行と列に並ぶ複数の検出電極を備えている。この複数の検出電極は、一例として、数万から数十万個形成されると共に、数μｍから数十μｍの間隔で配置されている。
【００３８】
生体情報センサ２は、例えば、列を替えながら行に並ぶ検出電極の静電容量を読み出し、続いて行を替えて検出電極の静電容量を読み出すことを繰り返して全ての検出電極を走査するように構成されている。この走査の周期は、一例として、１００ｍｓ程度である。
【００３９】
生体情報センサ２は、例えば、走査して読み出した複数の静電容量に基づいて形成される読取画像２２を制御部５に出力する。この読取画像２２は、例えば、１周期分の静電容量に基づいて形成される。
【００４０】
具体的には、生体情報センサ２は、例えば、予め設けられたしきい値以上の静電容量を「１」、しきい値より低い静電容量を「０」に分けると共に、検出電極の位置と関連付けて読取画像２２を生成する。
【００４１】
図２（ｃ）に示す読取画像２２は、一例として、上述の「１」の検出電極の位置を黒、「０」の検出電極の位置を白としている。なお図中の丸は、後述する特徴点６の一部を示すために付したものである。
【００４２】
静電容量が高い位置は、指紋の山の位置であって検出電極までの距離が近いので、静電容量が高くなる。そして低い位置は、指紋の谷の位置であって検出電極までの距離が遠く、静電容量が低くなる。従って静電容量の高い位置を黒、低い位置を白とすると、一例として、図２（ｃ）に示すような読取画像２２が得られる。この読取画像２２において黒で示した画像は、読み取られた生体情報２３である。
【００４３】
なお制御部５は、例えば、読取面２０に対する操作指９の接触後に読み取られた複数の読取画像２２から特徴点６を抽出するのに適した読取画像２２を選択するように構成されても良いし、スイッチ部４がオンしたことをトリガとして読み取った読取画像２２を特徴点６の抽出に使用するように構成されても良い。
【００４４】
（登録消去スイッチ３の構成）
登録消去スイッチ３は、一例として、図１（ｂ）に示すように、本体１０に隣接して配置されている。登録消去スイッチ３は、例えば、物理スイッチでも良いし、静電容量方式のタッチスイッチであっても良い。本実施の形態の登録消去スイッチ３は、タッチスイッチとして構成されている。
【００４５】
登録者は、例えば、電子キーなどの携帯機による認証と第１の生体認証が成立した後、この登録消去スイッチ３に対してタップ操作又はダブルタップ操作を行うことにより、登録生体情報５０の登録モード又は消去モードを指示することができる。
【００４６】
登録モードは、新たに登録生体情報５０を登録することができるモードである。この登録モードは、例えば、登録消去スイッチ３に対してタップ操作することによって移行することができる。
【００４７】
消去モードは、既に登録されている登録生体情報５０を消去することができるモードである。この消去モードは、例えば、登録消去スイッチ３に対してダブルタップ操作することによって移行することができる。なおスタートスイッチ装置１は、例えば、登録消去スイッチ３が操作されていない場合、認証モードであるものとする。
【００４８】
登録消去スイッチ３は、なされたタップ操作及びダブルタップ操作に応じたモード信号Ｓ１を制御部５に出力する。制御部５は、例えば、モード信号Ｓ１に基づいて登録モードか消去モードかを判定し、判定したモードに応じた登録消去モード信号Ｓ４を生成して車両制御部８８に出力する。
【００４９】
（スイッチ部４の構成）
スイッチ部４は、一例として、操作ボタン１２の操作面１２０とは反対側となる端部と接触するラバードームスイッチとして概略構成されている。このラバードームスイッチは、例えば、弾性力を生成すると共に可動接点を有するラバードームと、ラバードームが配置され、可動接点と対向する固定接点を有するスイッチ基板と、を備えている。
【００５０】
そしてプッシュ操作によって操作ボタン１２が本体１０に押し込まれると、ラバードームが変形して可動接点が固定接点と導通し、スイッチがオンしたことを示すスイッチ信号Ｓ２が制御部５に出力される。そしてスタートスイッチ装置１は、例えば、プッシュ操作が終了すると、ラバードームの弾性力によって操作ボタン１２が初期の位置に復帰するように構成されている。
【００５１】
（制御部５の構成）
制御部５は、例えば、記憶されたプログラムに従って、取得したデータに演算、加工などを行うＣＰＵ、半導体メモリであるＲＡＭ及びＲＯＭなどから構成されるマイクロコンピュータである。このＲＯＭには、例えば、制御部５が動作するためのプログラムが格納されている。ＲＡＭは、例えば、登録生体情報５０、類似度しきい値５１、及び演算結果などを格納する記憶領域として用いられる。また制御部５は、その内部にクロック信号を生成する手段を有し、このクロック信号に基づいて動作を行う。
【００５２】
登録生体情報５０は、例えば、図３（ａ）に示すように、登録者名５０ａと、登録者ごとのテンプレート５０ｂと、を関連付けた情報である。登録者名は、例えば、電子キーや携帯機などに関連して付されても良いし、タッチパッド８５などの入力装置の操作によって付されても良く、これらに限定されない。
【００５３】
図３（ａ）に示す登録生体情報５０は、一例として、登録者Ａ〜登録者Ｃの生体情報２３（指紋）が登録されている。登録者Ａは、例えば、テンプレート５０ｂとして指紋Ａ１と指紋Ａ２を登録している。この指紋Ａ１と指紋Ａ２とは、例えば、登録者Ａの異なる指のテンプレート５０ｂである。また登録者Ｂは、例えば、テンプレート５０ｂとして指紋Ｂ１を登録している。さらに登録者Ｃは、例えば、テンプレート５０ｂとして指紋Ｃ１を登録している。
【００５４】
登録生体情報５０の登録とは、例えば、登録者Ｂが新たに指紋Ｂ２としてテンプレート５０ｂを登録することである。また登録生体情報５０の削除とは、例えば、登録者Ａが既に登録されている指紋Ａ２を消去することである。
【００５５】
このテンプレート５０ｂとは、生体情報２３の認証に使用されるものであり、主に特徴点６から構成される。以下では、この特徴点６について説明する。
【００５６】
制御部５は、例えば、読取画像２２に対して抽出処理を行って特徴点６を抽出する。この抽出処理は、例えば、隆線の抽出処理などである。
【００５７】
特徴点６とは、例えば、図２（ｃ）に示すように、中心点、分岐点、端点及び三角州などであるがこれに限定されない。中心点とは、指紋の中心となる点である。分岐点とは、指紋の隆線が分岐している点である。端点とは、隆線が切れている点である。三角州とは、三方向から隆線が集まった点である。
【００５８】
制御部５は、例えば、読取画像２２から特徴点６を抽出する。そして制御部５は、例えば、取得した登録生体情報５０と、特徴点６が抽出された生体情報２３と、を比較し、特徴点６の位置、特徴点６間の距離などに基づいて類似度を算出する。そして制御部５は、スイッチ部４がオンであり、かつ類似度が類似度しきい値５１以上であった場合、生体情報２３の第１の生体認証が成立したとして指示信号Ｓ３を出力する。
【００５９】
この類似度しきい値５１は、一例として、８０％である。つまり制御部５は、例えば、認証に使用する生体情報２３の特徴点６の数が８０個である場合、６４個以上の特徴点６が登録生体情報５０の特徴点６と一致すれば、操作者が登録者であると判定する。なお一致とは、特徴点６の位置、特徴点６間の距離などの一致を含んでいる。
【００６０】
なお車両制御部８８は、例えば、取得した指示信号Ｓ３に基づいて第１の生体認証が成立した登録者が登録した車載装置の設定を実行するように構成されても良い。例えば、車載装置がシートの駆動装置であった場合、登録者が登録したシート位置にシートを駆動する。また例えば、車載装置が空調装置であった場合、登録者が登録した設定温度、風量などの設定を行う。さらに例えば、車載装置がミラーの駆動装置であった場合、登録者が登録した位置にミラーを駆動する。なお電磁気的に接続とは、例えば、導電体を介した接続、電磁波の一種である光を介した接続、及び電磁波の一種である電波を介した接続の少なくとも１つを用いた接続である。
【００６１】
制御部５は、一例として、スイッチ部４から出力されたスイッチ信号Ｓ２をトリガとして読取面２０を走査するように生体情報センサ２を制御する。この場合、操作面１２０に対してプッシュ操作が行われているので、読取面２０に対する操作指９の接触面積がプッシュ操作前において操作面１２０にタッチしている場合より大きく、より多くの特徴点６の抽出が可能となる。
【００６２】
（登録生体情報５０の登録と消去について）
制御部５は、第１の生体認証が成立したことによる効力が継続している期間において新たに登録生体情報５０を登録、又は消去する操作が行われた場合、再度取得した生体情報２３と予め登録された登録者の登録生体情報５０に基づいた第２の生体認証の成立によって登録又は消去を許可する。
【００６３】
・登録について
制御部５は、例えば、登録消去スイッチ３からモード信号Ｓ１が入力すると、登録か消去かを判定して登録消去モード信号Ｓ４を車両制御部８８に出力する。車両制御部８８は、例えば、図３（ｂ）に示すように、入力した登録消去モード信号Ｓ４に基づいて登録であると判定すると、第２の生体認証を行わせるため、メインモニタ８６の表示画面８４０にメッセージ画像８４１ａを表示させる。
【００６４】
このメッセージ画像８４１ａは、一例として、図３（ｂ）に示すように、再度操作指９を読取面２０に接触させることを促すように、「操作ボタンにタッチしてください」などのメッセージから構成される。
【００６５】
制御部５は、再度操作指９の生体情報２３を読み取ると、第２の生体認証を行う。そして制御部５は、第２の生体情報が成立した場合、第２の生体認証が成立したことを示す指示信号Ｓ３を車両制御部８８に出力する。
【００６６】
車両制御部８８は、例えば、図３（ｃ）に示すように、入力した指示信号Ｓ３に基づいて登録の意思を確認するため、メインモニタ８６の表示画面８４０にメッセージ画像８４１ｂを表示させる。
【００６７】
このメッセージ画像８４１ｂは、一例として、図３（ｃ）に示すように、「指紋を登録しますか」、「はい」、「いいえ」などのメッセージから構成される。操作者は、例えば、タッチパッド８５を介して表示画面８４０に表示されたカーソル８４２を操作し、「はい」又は「いいえ」の画像を選択してプッシュ操作やダブルタップ操作などによって決定する。
【００６８】
「はい」が選択決定された場合、車両制御部８８は、「はい」が選択決定されたことを示す登録消去指示情報Ｓ８を制御部５に出力する。制御部５は、この登録消去指示情報Ｓ８に基づいて、登録消去指示情報Ｓ８の取得後に読取面２０から読み取った読取画像２２に基づいて抽出した特徴点６などからテンプレート５０ｂを生成して登録する。このテンプレート５０ｂは、第２の生体認証に使用された登録生体情報５０の登録者名５０ａの新たなテンプレートとして登録される。
【００６９】
また「いいえ」が選択決定された場合、車両制御部８８は、「いいえ」が選択決定されたことを示す登録消去指示情報Ｓ８を制御部５に出力する。制御部５は、この登録消去指示情報Ｓ８に基づいて登録モードから認証モードに移行する。
【００７０】
・消去について
制御部５は、例えば、登録消去スイッチ３からモード信号Ｓ１が入力すると、登録か消去かを判定して登録消去モード信号Ｓ４を車両制御部８８に出力する。車両制御部８８は、例えば、図３（ｂ）に示すように、入力した登録消去モード信号Ｓ４に基づいて消去であると判定すると、第２の生体認証を行わせるため、メインモニタ８６の表示画面８４０にメッセージ画像８４１ａを表示させる。
【００７１】
制御部５は、再度操作指９の生体情報２３を読み取ると、第２の生体認証を行う。そして制御部５は、第２の生体情報が成立した場合、第２の生体認証が成立したことを示す指示信号Ｓ３を車両制御部８８に出力する。
【００７２】
車両制御部８８は、例えば、図３（ｄ）に示すように、入力した指示信号Ｓ３に基づいて消去する指紋の選択や消去の意思を確認するため、メインモニタ８６の表示画面８４０にメッセージ画像８４１ｃを表示させる。
【００７３】
このメッセージ画像８４１ｃは、一例として、図３（ａ）及び図３（ｄ）に示すように、第２の生体認証によって登録者Ａであると判定された場合、「指紋Ａ１」、「指紋Ａ２」、「消去」及び「もどる」などのメッセージから構成される。操作者は、例えば、タッチパッド８５を介して表示画面８４０に表示されたカーソル８４２を操作し、「消去」又は「もどる」の画像を選択してプッシュ操作やダブルタップ操作などによって決定する。
【００７４】
なお消去の際のメッセージ画像８４１ｃは、例えば、制御部５が記憶する登録生体情報５０に基づいて生成される。従って制御部５は、例えば、メッセージ画像８４１ｃを生成するための情報を出力するように構成されても良いし、登録生体情報５０が車両制御部８８と共有されていても良い。
【００７５】
「消去」が選択決定された場合、車両制御部８８は、「消去」が選択決定された指紋を示す登録消去指示情報Ｓ８を制御部５に出力する。制御部５は、この登録消去指示情報Ｓ８に基づいて選択決定されたテンプレート５０ｂを消去する。
【００７６】
また「いいえ」が選択決定された場合、車両制御部８８は、「いいえ」が選択決定されたことを示す登録消去指示情報Ｓ８を制御部５に出力する。制御部５は、この登録消去指示情報Ｓ８に基づいて消去モードから認証モードに移行する。
【００７７】
なお変形例としてテンプレート５０ｂは、一例として、登録消去スイッチ３のように、登録可能な数のスイッチに関連付けられて登録及び消去される。この場合、制御部５は、例えば、図３（ｃ）及び図３（ｄ）に示すようなメッセージ画像８４１ｂ及びメッセージ画像８４１ｃを表示させなくても操作されたスイッチに関連付けて登録と消去を行う。
【００７８】
ここで上述の登録と消去は、第１の生体認証と第２の生体認証の登録者が異なっていても認証が成立した場合、登録と消去が可能であった。変形例として制御部５は、第１の生体認証と第２の生体認証において同じ登録者の登録生体情報５０を用いて生体認証を行うように構成される。この変形例では、登録生体情報５０の登録と消去は、第１の生体認証が成立した登録者に限定される。
【００７９】
また他の変形例として制御部５は、第１の生体認証より第２の生体認証の認証精度を上げるように構成される。この変形例では、例えば、第１の生体認証の類似度しきい値５１を８０％とした場合、第２の生体認証の類似度しきい値５１を８０％より高い８５％や９０％などに切り替える。
【００８０】
生体認証では、本人拒否率を低く抑えると他人受入率が高く（利便性が高く）なり、他人受入率を低く抑えると、本人拒否率が高く（安全性が高く）なるので、本人拒否率と他人受入率、つまり利便性と安全性とは、トレードオフの関係にあり、他人受入率をゼロにすることができない。従って指紋を登録していない者が何度も生体認証をさせると、認証が成立する可能性がある。
【００８１】
この変形例では、第１の生体認証よりも第２の生体認証を厳しくするので、同じ類似度しきい値を使用する場合と比べて、より第三者による登録や消去といった不正な操作を抑制することができる。
【００８２】
さらに他の変形例として制御部５は、第２の生体認証の回数の制限を行うように構成される。この回数は、一例として、５回である。制御部５は、認証が不成立となる回数をカウントし、この回数が５回以上となった場合、登録生体情報５０の登録や消去を許可しない。この変形例では、第２の生体認証の回数の制限が設定されるので、回数の制限がない場合と比べて、生体認証を繰り返すことによる認証の成立の可能性を低くすることができる。
【００８３】
以下に本実施の形態のスタートスイッチ装置１の動作の一例について図４のフローチャートに従って説明する。
【００８４】
（動作）
スタートスイッチ装置１の制御部５は、ステップ１の「Ｙｅｓ」が成立する、つまり操作ボタン１２に対してなされたプッシュ操作の際に読み取られた生体情報２３と登録生体情報５０とに基づく第１の生体認証が成立した場合（Ｓｔｅｐ１：Ｙｅｓ）、第１の生体認証が成立したことを示す指示信号Ｓ３を車両制御部８８に出力する。車両制御部８８は、例えば、この指示信号Ｓ３に基づいて駆動装置を始動する。
【００８５】
次に制御部５は、ステップ２の「Ｙｅｓ」が成立する、つまりモード信号Ｓ１に基づいて登録消去スイッチ３が操作されたと判定した場合（Ｓｔｅｐ２：Ｙｅｓ）、指示されたモードに応じた登録消去モード信号Ｓ４を生成して車両制御部８８に出力する。車両制御部８８は、取得した登録消去モード信号Ｓ４に基づいて、例えば、図３（ｂ）に示すメッセージ画像８４１ａを表示させる。
【００８６】
次に制御部５は、操作者が操作ボタン１２の操作面１２０にタッチしたことで読み取られた生体情報２３と登録生体情報５０とに基づいて第２の生体認証を行う。制御部５は、第２の生体認証が成立した場合（Ｓｔｅｐ３：Ｙｅｓ）、登録又は消去を許可することを示す指示信号Ｓ３を車両制御部８８に出力する。
【００８７】
車両制御部８８は、取得した指示信号Ｓ３に応じて指示されたモードに基づいたメッセージ画像をメインモニタ８６に表示させる。そして車両制御部８８は、タッチパッド８５を介してなされた指示に基づいて登録消去指示情報Ｓ８を生成して制御部５に出力する。
【００８８】
次に制御部５は、取得した登録消去指示情報Ｓ８に基づいて登録生体情報５０の登録又は消去を実行し（Ｓｔｅｐ４）、登録生体情報５０の登録又は消去を終了する。
【００８９】
なおステップ３において制御部５は、第２の生体認証が成立しなかった場合（Ｓｔｅｐ３：Ｎｏ）、登録生体情報５０の登録又は消去を許可せず終了する。
【００９０】
ここで制御部５は、ステップ２において登録消去スイッチ３の操作を監視している間に、車両８の駆動装置の停止、又は電源遷移を指示するプッシュ操作がなされた場合、登録生体情報５０の登録又は消去を終了する。
【００９１】
（実施の形態の効果）
本実施の形態に係るスタートスイッチ装置１は、登録者以外の第三者による不正な操作を抑制することができる。具体的には、スタートスイッチ装置１は、新たに登録生体情報５０を登録又は消去する場合、一回目の生体認証が成立しても二回目の生体認証が成立しないと登録又は消去が許可されないので、この構成を採用しない場合と比べて、登録者以外の第三者であると二回目の生体認証が不成立となることから、第三者による不正な操作を抑制することができる。
【００９２】
スタートスイッチ装置１は、第１の生体認証と第２の生体認証とでは、同じ登録者の登録生体情報５０を用いて生体認証がなされるので、この構成を採用しない場合と比べて、登録生体情報５０の登録及び消去を第１の生体認証を行った登録者に限定することができる。
【００９３】
スタートスイッチ装置１は、第１の生体認証が成立しただけでは、登録生体情報５０の登録及び消去を行うことができないので、第１の生体認証が成立したことで登録と消去を実行可能な場合と比べて、第１の生体認証を行った登録者が車両を離れても、第三者が自身の生体情報２３を登録したり、既に登録されている登録生体情報５０を削除したりする不正な操作を抑制することができる。
【００９４】
また他の実施の形態は、取得した操作者の生体情報と予め登録された登録者の登録生体情報に基づいて第１の生体認証が成立した後、新たに登録生体情報を登録する操作が行われた場合、再度取得した生体情報と予め登録された登録者の登録生体情報に基づいた第２の生体認証の成立によって登録を許可する生体情報認証方法を実行させるプログラムやこのプログラムを記録したコンピュータで読み取り可能な記録媒体として提供されても良い。
【００９５】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００９６】
１…スタートスイッチ装置、２…生体情報センサ、３…登録消去スイッチ、４…スイッチ部、５…制御部、６…特徴点、８…車両、９…操作指、１０…本体、１２…操作ボタン、２０…読取面、２２…読取画像、２３…生体情報、５０…登録生体情報、５０ａ…登録者名、５０ｂ…テンプレート、５１…類似度しきい値、８０…パネル、８１…フロアコンソール、８２…センターコンソール、８３…インストルメントパネル、８４…ステアリング、８５…タッチパッド、８６…メインモニタ、８７…サブモニタ、８８…車両制御部、１０２…開口、１２０…操作面、８４０…表示画面、８４１ａ〜８４１ｃ…メッセージ画像、８４２…カーソル
【図１】
2020024536.tif 000003
【図２】
2020024536.tif 000004
【図３】
2020024536.tif 000005
【図４】
2020024536.tif 000006